(57)【要約】【課題】固定を確実に行うことができ、かつ携帯時や使用時にその固定具が障害とならない作業機器を得る。【解決手段】固定具２０においては、バッテリ装着部１２からグリップ１１にかけて屈曲して形成された細長い孔部である収納孔１５中において長さ方向に移動可能に装着された可撓性のワイヤ２１が用いられる。また、ワイヤ２１のトーチライト１０から離れた側の一端には、トーチライト１０を自重によって固定するための係止具として鉤状のフック２２が固定されている。作業者は、フック２２（ワイヤ２１）を収納孔１５から引き出し、トーチライト１０の固定のためにフック２２を用いることができる【選択図】図１
2015096282.tif 000002
【特許請求の範囲】
【請求項１】
可撓性のワイヤと、
前記ワイヤの一端に固定され構造物に係止される係止具と、
前記ワイヤの他端が装着される本体と、を具備することを特徴とする作業機器。
【請求項２】
前記係止具は、鉤型の形状を具備することを特徴とする請求項１に記載の作業機器。
【請求項３】
深さ方向に延びる収納孔を具備し、
前記ワイヤが前記収納孔の内部で長さ方向に移動可能な状態となるように、前記ワイヤの他端が前記収納孔の内部で前記本体に装着されたことを特徴とする請求項１又は２に記載の作業機器。
【請求項４】
前記収納孔に前記ワイヤが収納される構成とされたことを特徴とする請求項３に記載の作業機器。
【請求項５】
前記収納孔に前記ワイヤが収納された状態で前記収納孔の間口に前記係止具が嵌合する構成とされたことを特徴とする請求項４に記載の作業機器。
【請求項６】
発光する照明部を具備することを特徴とする請求項１から請求項５までのいずれか１項に記載の作業機器。
【請求項７】
携帯される際に作業者に把持されるグリップを具備し、
電源となるバッテリが装着されるバッテリ装着部を前記グリップの一端側に、前記照明部を前記グリップの他端側にそれぞれ具備し、前記収納孔が前記バッテリ装着部に設けられたことを特徴とする請求項６に記載の作業機器。
【請求項８】
前記照明部が前記グリップに対して回動可能な状態で装着されたことを特徴とする請求項７に作業機器。
【請求項９】
電源となるバッテリが装着されるバッテリ装着部が、使用時に作業者によって把持されるハンドルに接続された構成を具備し、前記収納孔は前記バッテリ装着部から前記ハンドルにかけて形成されたことを特徴とする請求項３から請求項５までのいずれか１項に記載の作業機器。
【請求項１０】
モータを具備する前記本体から延びるハンドルを具備し、前記ハンドルに前記収納孔が形成されたことを特徴とする請求項３から請求項５までのいずれか１項に記載の作業機器。
【請求項１１】
モータ及び電気配線を具備する本体を具備し、前記本体に前記収納孔が形成されたことを特徴とする請求項３から請求項５までのいずれか１項に記載の作業機器。
【請求項１２】
前記ワイヤの他端には、前記収納孔から前記ワイヤが抜けないための抜け止め部材が具備されることを特徴とする請求項１から請求項１１のいずれか１項に記載の作業機器。
【請求項１３】
可撓性のワイヤと、
前記ワイヤの一端に固定され構造物に係止される係止具と、
前記ワイヤの他端側を収容する収納孔と、を具備し、
前記ワイヤは前記収納孔から引き出し可能に構成されることを特徴とする作業機器。
【発明の詳細な説明】
【技術分野】
【０００１】
本発明は、携帯が可能な作業機器を固定するために作業機器側に設けられる作業機器用固定具、あるいはこの作業機器に関する。
【背景技術】
【０００２】
電動ドリル等の電気式の作業機器や、インパクトレンチ等の圧縮空気で動作する作業機器は、作業者によって携帯されて使用される一方で、数ｋｇ以上の重量があり、これらを使用しない場合においては、これらを確実に固定して設置する必要がある。作業環境の照明として用いられるトーチライトは、一般的には電動ドリル等と比べると軽量であるが、重いバッテリを電源とするトーチライトは、連続使用可能時間が長くなる一方で、総重量が重くなる。このため、こうしたトーチライトにおいても、同様にその固定を確実に行う必要がある。更に、トーチライトにおいては、使用しない場合だけでなく、照明として使用する際においても、これを確実に固定して設置することが必要となる。
【０００３】
こうした点を考慮した固定具を具備するトーチライトが特許文献１に記載されている。このトーチライトにおいては、トーチライトの長手方向において移動可能な状態で設けられたリング状のストラップが固定具として装着されている。トーチライトにおける照明部（豆電球）は、この長手方向の一端側に設けられている。このストラップを何らかの突起部に係止させ、トーチライトを吊り下げた状態とすることによって、トーチライトを固定することができる。前記の通り、この状態でこのトーチライトを使用する（照明をオンする）場合もあるが、この際に、ストラップの長手方向の位置を調整することによって、照明部によって照明される方向（角度）を調整することもできる。すなわち、使用しない場合においても、使用時においても、このトーチライトをストラップを用いて固定することができる。ストラップを係止させる突起部は、壁等、任意の箇所に設けることができる。
【先行技術文献】
【特許文献】
【０００４】
【特許文献１】特開２００４−２５３６９２号公報
【発明の概要】
【発明が解決しようとする課題】
【０００５】
しかしながら、特許文献１に記載の技術においては、大きなストラップと、このストラップを長手方向で移動させるための構造を、トーチライトの表面に設けることが必要である。ストラップが変形自在であるとしても、トーチライトの側面に設けられたこうした構造は、作業者がこのトーチライトを携帯（把持）する際に障害となることは明らかである。
【０００６】
また、特許文献１に記載の固定具は、トーチライトに設けられているが、同様の構造を仮に電動ドリル等の作業機器に設けた場合には、ストラップが作業の際の障害となることも明らかである。ストラップを十分小さくすれば、作業の際の障害となることは抑制されるものの、これを用いた固定が困難となることも明らかである。
【０００７】
すなわち、固定を確実に行うことができ、かつ携帯時や使用時にその固定具が障害とならない作業機器を得ることは困難であった。
【０００８】
本発明は、かかる問題点に鑑みてなされたものであり、上記の問題点を解決する発明を提供することを目的とする。
【課題を解決するための手段】
【０００９】
本発明は、上記課題を解決すべく、以下に掲げる構成とした。
本発明の作業機器は、可撓性のワイヤと、前記ワイヤの一端に固定され構造物に係止される係止具と、前記ワイヤの他端が装着される本体と、を具備することを特徴とする。
本発明の作業機器において、前記係止具は、鉤型の形状を具備することを特徴とする。
本発明の作業機器は、深さ方向に延びる収納孔を具備し、前記ワイヤが前記収納孔の内部で長さ方向に移動可能な状態となるように、前記ワイヤの他端が前記収納孔の内部で前記本体に装着されたことを特徴とする。
本発明の作業機器は、前記収納孔に前記ワイヤが収納される構成とされたことを特徴とする。
本発明の作業機器は、前記収納孔に前記ワイヤが収納された状態で前記収納孔の間口に前記係止具が嵌合する構成とされたことを特徴とする。
本発明の作業機器は、発光する照明部を具備することを特徴とする。
本発明の作業機器は、携帯される際に作業者に把持されるグリップを具備し、電源となるバッテリが装着されるバッテリ装着部を前記グリップの一端側に、前記照明部を前記グリップの他端側にそれぞれ具備し、前記収納孔が前記バッテリ装着部に設けられたことを特徴とする。
本発明の作業機器は、前記照明部が前記グリップに対して回動可能な状態で装着されたことを特徴とする。
本発明の作業機器は、電源となるバッテリが装着されるバッテリ装着部が、使用時に作業者によって把持されるハンドルに接続された構成を具備し、前記収納孔は前記バッテリ装着部から前記ハンドルにかけて形成されたことを特徴とする。
本発明の作業機器は、モータを具備する前記本体から延びるハンドルを具備し、前記ハンドルに前記収納孔が形成されたことを特徴とする。
本発明の作業機器は、モータ及び電気配線を具備する本体を具備し、前記本体に前記収納孔が形成されたことを特徴とする。
本発明の作業機器において、前記ワイヤの他端には、前記収納孔から前記ワイヤが抜けないための抜け止め部材が具備されることを特徴とする。
本発明の作業機器は、可撓性のワイヤと、前記ワイヤの一端に固定され構造物に係止される係止具と、前記ワイヤの他端側を収容する収納孔と、を具備し、前記ワイヤは前記収納孔から引き出し可能に構成されることを特徴とする。
【発明の効果】
【００１０】
本発明は以上のように構成されているので、固定を確実に行うことができ、かつ携帯時や使用時にその固定具が障害とならない作業機器を得ることができる。
【図面の簡単な説明】
【００１１】
【図１】本発明の第１の実施の形態となるトーチライトにおける作業機器用固定具の２つの状態に対応した断面図である。
【図２】本発明の第１の実施の形態となるトーチライトの上面図である。
【図３】本発明の第１の実施の形態となるトーチライトが設置されて使用される際の形態の第１の例を示す側面図である。
【図４】本発明の第１の実施の形態となるトーチライトが設置されて使用される際の形態の第２、第３の例を示す側面図である。
【図５】本発明の第１の実施の形態となるトーチライトが設置されて使用される際の形態の第４の例を示す側面図である。
【図６】本発明の第１の実施の形態となるトーチライトに使用される作業機器用固定具の変形例の構成を示す図である。
【図７】本発明の第２の実施の形態となる電動ドリルの構成を示す側面図である。
【図８】本発明の第２の実施の形態となる電動ドリルの変形例の構成を示す側面図である。
【発明を実施するための形態】
【００１２】
本発明の実施の形態となる作業機器用固定具が用いられた作業機器の構成について説明する。この作業機器の一例としては、使用しない場合の設置時、及び照明として使用される際の設置時において共にこの作業機器用固定具を用いて設置されるトーチライトがある。また、使用しない場合の設置時においてのみこの作業機器用固定具が使用され、使用時にはこの作業機器用固定具が障害とならない形態とされる電動ドリル等も、この作業機器の一例となる。
【００１３】
（第１の実施の形態：トーチライト）
図１は、第１の実施の形態に係るトーチライト１０の構造を示す断面図である。ここで、図１（ａ）、（ｂ）は、ここで用いられる作業機用固定具（固定具）２０における２つの状態を示している。このトーチライト１０は、作業者が把持できるように細長く設けられたグリップ１１と、その一端（図中右端）側に設けられたバッテリ装着部１２と、グリップ１１の他端（図中左端）側に設けられた回動軸（第１の回動軸）１３を中心として回動する照明部１４を具備する。バッテリ装着部１２には、電源となるバッテリ１００が装着される。バッテリ１００は、外部で充電器によって充電された状態でバッテリ装着部１２に装着される。
【００１４】
このトーチライト１０において用いられる固定具（作業機用固定具）２０においては、バッテリ装着部１２からグリップ１１にかけて屈曲して形成された細長い孔部である収納孔１５中において長さ方向に移動可能に装着された可撓性のワイヤ２１が用いられる。また、ワイヤ２１のトーチライト１０から離れた側の一端（図中右端）には、トーチライト１０を自重によって固定する（引っ掛ける）ための係止具として鉤状のフック２２が固定されている。作業者は、フック２２（ワイヤ２１）を収納孔１５から引き出し、トーチライト１０の固定のためにフック２２を用いることができる。一方、ワイヤ２１を収納孔１５内に収納してフック２２も部分的に収納孔１５内に収納し、作業者がグリップ１１を把持する際にワイヤ２１、フック２２が障害となることを抑制することができる。図１（ａ）は、フック２２（ワイヤ２１）が収納孔１５から引き出された状態における収納孔１５の長手方向に沿った断面を示し、図１（ｂ）は、フック２２（ワイヤ２１）が収納孔１５に収納された状態における同様の断面を示す。図１（ａ）においては、フック２２は、便宜上図１（ｂ）の状態からワイヤ２１の回りで９０度回転させた状態が示されている。また、図２は、図１（ｂ）の状態において照明部１４を除いた場合を図１における上面から見た図である。
【００１５】
収納孔１５中でワイヤ２１を長さ方向において移動可能とした状態でこのトーチライト１０本体に装着するために、収納孔１５の長手方向における途中には、ワイヤ２１が貫通する収納孔内壁１５１が設けられている。ワイヤ２１の他端（図中左端）はこの収納孔内壁１５１よりも内側（左側）に位置し、この他端には、ワイヤ２１の外径よりも大きなワイヤ末端部（抜け止め部材）２３が固定されている。収納孔内壁１５１におけるワイヤ２１が貫通する穴は、ワイヤ２１の外径よりも大きく、かつワイヤ末端部２３よりも小さくされる。このため、ワイヤ２１を収納孔１５から引き出した場合、最終的にはワイヤ末端部２３が収納孔内壁１５１で係止される。このため、この構造により、この固定具２０をワイヤ２１の長さ方向に移動可能な状態でトーチライト１０本体に装着することができる。
【００１６】
また、バッテリ装着部１２における収納孔１５の開口部の間口は、フック２２が嵌合する形状となるように広がっている。このため、図１（ｂ）、図２に示されるように、ワイヤ２１を収納孔１５に収納し、かつフック２２を収納孔１５の間口に嵌合させて固定することができる。この場合には、ワイヤ２１を収納孔１５に収納した際にフック２２の一部しかバッテリ装着部１２（トーチライト１０本体）から突出しないため、作業者がこのトーチライト１０を携帯する際にフック２２（固定具２０）が障害となることが抑制される。一方、突出したフック２２の一部を作業者が引き出すことによって、図１（ａ）の形態とすることができる。
【００１７】
照明部１４には、主照明部１４１とフラッシュ部１４２とが設けられる。図１（ａ）（ｂ）においては、回動軸１３を軸として、照明部１４がグリップ１１に沿った状態に畳まれた状態が示されている。この状態においては、主照明部１４１は、図中の上側に向かって光を発する。このために、主照明部１４１には、多数のＬＥＤ（発光ダイオード）が配列され、このトーチライト１０における主たる発光部となる。主照明部１４１が発する光の方向は、主照明部１４１の回動軸１３回りの角度によって調整することができる。また、主照明部１４１は、主照明部１４１がグリップ１１から離間するように回動した状態において、回動軸１３と垂直かつ図１における主照明部１４１の長手方向に沿った回転軸（第２の回動軸：図示せず）の回りでフラッシュ部１４２に対して回動可能とされる。このため、照明部１４を第１の回動軸１３、第２の回動軸の回りで適宜回動させることによって、グリップ１１の周りの大部分の方向を主照明部１４１によって照射することができる。この際、第１の回動軸１３、第２の回動軸の回りの回動に際して回動抵抗が働くように設定されることが好ましい。これによって、所定の大きさ以上の力が働いた場合においてのみ照明部１４を回動させることができ、所望の角度で照明部１４を固定することができる。あるいは、小さな力で照明部１４を回動させることができるが、照明部１４の回動角度を所望の値として固定できるような固定機構を用いることもできる。
【００１８】
一方、図１において第１の回動軸１３の左側に設けられたフラッシュ部１４２は、主照明部１４１よりも低い光量で点灯又は点滅し、主照明部１４１とは異なる方向（図１の状態においては左側）を照明する。フラッシュ部１４２は、補助的な照明として使用される。主照明部１４１、フラッシュ部１４２の発光のオン・オフは、例えば図１における回動軸１３をスイッチとして制御することができる。この場合には、作業者が図１における紙面垂直方向にこの部分を押すことにより、オン・オフが切り替わる設定とすることができる。あるいは、このためのスイッチを他の箇所に設けることもできる。なお、主照明部１４１のオン・オフも回転軸１３をスイッチとして制御することができるが、別のスイッチを設けることもできる。
【００１９】
フック２２を収納孔１５から引き出した状態においては、トーチライト１０の自重によって、壁面の上部や、突起部等、様々な箇所にフック２２を係止させ、トーチライト１０を設置することができる。図３は、この際の形態（第１の例）を示す側面図である。図３においては、収納孔１５から引き出されたフック２２を壁面（図示せず）に固定されたピン２００に係止し、トーチライト１０を吊り下げた状態を示す。この状態において、照明部１４を回動させ、鉛直方向下側を照射することができる。トーチライト１０の自重によって、この状態でトーチライト１０を設置することができる。前記の通り、主照明部１４１によって照射される方向を、照明部１４の回動角度によって調整することができる。
【００２０】
また、鉤型のフック２２が用いられるため、フック２２をピン２００とは異なる形状をもつ構造物にも係止させることができる。図４は、トーチライト１０を塀３００に設置する際の形態（第２の例：ａ、第３の例：ｂ）を図３と同様に示す。図４（ａ）においては、塀３００の上部に設けられた塀側係止部３１０にフック２２を係止させることによってトーチライト１０が設置されている。図４（ａ）の形態においては、トーチライト１０は、塀側係止部３１０に係止されたフック２２と照明部１４の先端部Ｘとで塀３００に固定される。図３の形態においては、トーチライト１０がピン２００を中心として振動する（図中左右方向に揺れる）ことがあり、照明部１４によって照射される方向が振動することがあるのに対し、この場合にはこの振動が抑制され、照射方向は一定に保たれる。
【００２１】
このトーチライト１０において使用されるバッテリ１００としては、作業時に同時に使用される各種の電動工具（後述する電動ドリル４０等）との間の互換性のために、電動工具と共通のものが好適に使用される。この場合には、バッテリ１００の容量を大きくし連続使用可能時間を長くすることができる一方で、バッテリ１００は乾電池等と比べて重く、その重量がトーチライト１０全体の重量において占める割合が高くなる。このため、図４の形態においては、Ｘを中心としてバッテリ１００が図中の時計回りの力が働き、この力はフック２２の塀側係止部３１０に対する固定を強固にする方向に作用する。また、この状態でバッテリ１００の下側に位置する照明部１４で下側を照明することができるため、このトーチライト１０を照明として特に好ましく使用することができる。このため、重いバッテリ１００（バッテリ装着部１２）の反対側に照明部１４を具備する構成の場合に、バッテリ装着部１２側に固定具２０が設けられた上記の構成は特に有効である。この際、グリップ１１に対する照明部１４の角度を調整することによって、照射方向を容易に調整することができる。
【００２２】
また、ワイヤ２１が収納孔１５内で長さ方向に移動する際に摺動抵抗が働く構成とすれば、フック２２（ワイヤ２１）の引き出し量を所望の長さとして固定することが可能である。図４（ｂ）は、図４（ａ）の状態においてこの引き出し量を調整した場合の形態を示す。この場合には、塀３００と接する照明部１４の先端部を軸Ｘとして、塀３００に対するトーチライト１０全体の設置角度を調整することもできる。こうした場合においても、照明部１４の回動と同様に、ワイヤ２１に所定の大きさ以上の力が働いた場合においてのみワイヤ２１の引き出し量を変えることができる構成とすることができる。また、収納孔１５内におけるワイヤ２１の長さ方向における移動を自在とするが、ワイヤ２１の収納孔１５からの引き出し量を任意のところで固定する固定機構を用いても同様である。
【００２３】
また、前記の通り、ワイヤ２１は可撓性とされる。このために、図５に示された形態（第４の例）のように、ワイヤ２１を湾曲させた状態でトーチライト１０を塀３００に設置することもできる。この場合には、トーチライト１０の上下の２カ所が塀３００に接した状態とすることができるため、更に強固にトーチライト１０を設置することができ、かつトーチライト１０が振動することも抑制される。また、ワイヤ２１の引き出し量を任意とし、かつワイヤ２１を可撓性とすることによって、トーチライト１０の塀３００に対する設置角度を適宜設定することができ、設置の際の形態の自由度が高まることも明らかである。
【００２４】
上記のトーチライト１０においては、屈曲した形状の収納孔１５が形成される。上記の例では、収納孔１５の形状は、図１において、図中右側から左下側に向かって延伸し、その後で屈曲し水平方向に延伸した屈曲形状とされる。この屈曲形状は、固定具２０が装着される作業機器の形状に応じて適宜設定することが可能である。また、グリップ１１の内部においては、バッテリ装着部１２の内部から延伸した配線が設けられているが、この配線と収納孔１５とが干渉しないように収納孔１５の屈曲形状を設定することもできる。この際、収納孔１５にワイヤ２１を収納するためには、ワイヤ２１の長さに対応した収納孔１５の全長を確保することが必要であるが、収納孔１５をこうした屈曲形状とすることによって、この全長を長くすることもできる。可撓性のワイヤ２１は、こうした屈曲した形状の収納孔１５に収納することができる。また、図１の構造では１箇所で屈曲した収納孔１５が用いられたが、複数で屈曲した形状、あるいは緩やかに湾曲した形状の収納孔を用いることもできる。この場合でも、収納孔の形状は、作業機器の形状や構造に応じて適宜設定することができ、収納孔の中に可撓性のワイヤを上記と同様に収納することができる。すなわち、ワイヤ２１をフレキシブルに変形できる部材（可撓性の部材）で構成することにより、収納孔１５も直線的に形成する必要がない。図１（ａ）において、バッテリ装着部１２に位置する収納孔１５の長手方向における延長線上のグリップ１１に位置する収納孔１５を設ける必要がなく、細いグリップ１１に沿って収納孔１５を形成することができる。このため、グリップ１１の径方向（図１の上下方向）の寸法を抑えることができる。
【００２５】
また、上記の例では、鉤型のフック２２が係止具として用いられたが、他の形状の係止具を用いることもできる。図６は、フック２２の代わりに環状のリング１２２が用いられた場合のワイヤ２１周辺の構成を示す。前記のフック２２と同様に、ワイヤ２１を収納孔１５に引き込んだ際にリング１２２を収納孔１５の間口に嵌合させて固定することができることも明らかである。
【００２６】
リング１２２を係止具として用いた場合には、例えば図３に示されるピン２００が用いられる場合に、フック２２を用いる場合よりも確実にリング１２２を装着することができる。逆に、図４、５に示される塀側係止部３１０が用いられる場合には、リング１２２を用いる場合よりも確実にフック２２を装着することができる。このように、係止具としては、これを何らかの構造物に係止できる限りにおいて、任意の形状のものを用いることができる。どの場合においても、ワイヤを収納孔に引き込んだ際に、収納孔の間口に係止具を嵌合させて固定することができることは明らかである。
【００２７】
作業時において使用されるトーチライトは、作業箇所の上側に設置され、下側を照明する形態で用いられる場合がある。こうした場合、特に、図４、５に示されるように、塀３００の上部に係止具（フック２２）を係止させて設置できるトーチライト１０は、特にこうした用途に好適に用いられる。図４、５においては、フック２２を係止させるための塀側係止部３１０が設けられていたが、塀３００の上部に存在する小さな突起物や角部を塀側係止部３１０の代わりに用いることができることは明らかである。また、塀３００の上面にこうした突起部がなく平坦であっても、フック２２と塀３００の上面との間の摩擦が大きければ、図４、５と同様の形態でトーチライト１０を設置することができる。すなわち、フック２２を係止させるための構造を特に設けなくとも、多くの構造物（塀等）に上記の固定具２０が用いられたトーチライト２０を設置することができる。
【００２８】
（第２の実施の形態：電動ドリル）
前記の通り、上記の固定具は、好ましくトーチライトに用いられる。ただし、前記の通り、この固定具は任意の作業機器に装着することができ、これによって、この作業機器を使用しない場合に塀等に容易かつ確実に設置することができる。ここでは、この固定具を電動ドリルに装着した場合について説明する。
【００２９】
図７は、前記のトーチライト１０と同様に、バッテリ１００を電源とする電動ドリル４０の構成を示す側面図である。この電動ドリル４０においては、スピンドル（図示せず）を回転させるモータ（図示せず）が内蔵される電動ドリル本体（本体）４１の下方に、作業時に作業者によって把持されるハンドル４２が設けられる。ハンドル４２の下側にはバッテリ装着部４３が接続され、電源となるバッテリ１００がバッテリ装着部４３に下側から装着される。スピンドルにはチャック４４が、このチャック４４にドリル刃（図示せず）が装着されて使用される。ハンドル４２の前方（ドリル刃が装着される側）には、トリガスイッチ４５が設けられ、作業者は、ハンドル４２を把持した状態でトリガスイッチ４５を図中右側に引くことによって、モータが回転し、ドリル刃が回転する設定とされる。
【００３０】
図７の例においては、前記の収納孔１５と同様の構成の収納孔４６、ワイヤ２１、フック２２が電動ドリル本体４１の右側に、同様の収納孔４７、ワイヤ２１、フック２２がバッテリ装着部４３の右側に、それぞれ設けられている。すなわち、図７の構成においては、固定具２０が２組設けられている。ただし、これらは、実際にはどちらか一方に設けられていれば十分である。電動ドリル本体４１には、モータやこれに接続される電気配線、電気回路やギヤボックス等が内蔵されているが、収納孔４６を、これらと干渉しないように屈曲させて電動ドリル本体４１に設けることができる。また、ワイヤ２１及びフック２２を収納孔４６に収納できる構成とすれば、この電動ドリル４０の使用時に、ワイヤ２１、フック２２が作業の障害となることが抑制される。ワイヤ２１及びフック２２を収納孔４６から引き出して、図３〜５に示されたように用いることができる。
【００３１】
バッテリ装着部４３に設けられた収納孔４７は、バッテリ装着部４３からハンドル４２にかけて屈曲した形状で形成されている。この点については、前記のトーチライト１０におけるバッテリ装着部１２、グリップ１１にかけての収納孔１５の形状と同様である。ワイヤ２１、フック２２をこの収納孔４７に収納することができ、かつワイヤ２１、フック２２を収納孔４７から引き出して前記と同様に電動ドリル４０を設置することができる。
【００３２】
すなわち、上記の固定具２０を用いることにより、この電動ドリル４０を使用しない際に、これを塀や壁等に設置することが特に容易となる。
【００３３】
前記の通り、収納孔４６、これと接続されたワイヤ２１、フック２２と、収納孔４７、これと接続されたワイヤ２１、フック２２とは、これらのうちの一方のみが設けられれば、固定具としては十分である。ただし、この構成の収納孔４６、４７と固定具２０との組み合わせは、電動ドリル４０における極一部の小さな領域しか占めず、作業時においても障害となることはないため、図７に示されたように固定具２０を２組あるいは３組以上設けることもできる。この場合には、設置の際にどの固定具を用いるかを選択することができるために、この電動ドリルを設置する際の自由度が更に高まる。
【００３４】
図８は、電源として前記のバッテリ１００の代わりに商用交流電源を用いる電動ドリル５０の構成を示す側面図である。この電動ドリル５０においては、スピンドル（図示せず）を回転させるモータ（図示せず）が内蔵される電動ドリル本体（本体）５１の右側（後方）に、作業時に作業者によって把持されるハンドル５２が設けられる。ハンドル５２は、電動ドリル本体５１との間に作業者の手指が入る程度の空隙が形成されるように電動ドリル本体５２の上下の２カ所に接続される。ハンドル５２の下側には、図示されない一端に電源プラグが装着された電源コード５３が接続される。スピンドルにはチャック５４が、このチャック５４にドリル刃（図示せず）が装着されて使用される。ハンドル５２にはトリガスイッチ（図示せず）設けられ、作業者が電源プラグを商用交流電源に装着し、ハンドル５２を把持した状態でトリガスイッチを操作することによって、モータが回転し、ドリル刃が回転する設定とされる。
【００３５】
この電動ドリル５０においても、前記と同様の収納孔５５、５６が、電動ドリル本体５１の上方、ハンドル５２の後方に、それぞれ設けられ、各々に固定具２０（ワイヤ２１、フック２２）が装着されている。この場合においても、収納孔５５、５６の形状は任意である。例えば、収納孔５５は、電動ドリル本体５１中においてモータ等と干渉しないように設けられる。また、ハンドル５２に設けられる収納孔５６の構造としては、図８において右から左に向かって水平に形成され、その後ハンドル５２に沿って下側に９０度屈曲する形態とすることができる。
【００３６】
また、この構成においては、ハンドル５２が電動ドリル本体５１の後方に接続されるため、仮に収納孔５５を前記の電動ドリル４０のように電動ドリル本体５１の後方側に形成した場合には、固定具２０（フック２２）がハンドル５２と干渉する。このため、収納孔５５は電動ドリル本体５１の上面側に形成されている。モータ等を内蔵する電動ドリル本体５１の上面側に収納孔５５を形成する場合には、収納孔５５を電動ドリル本体５１内部で屈曲あるいは湾曲した形状とすることによって、収納孔５５の全長を確保し、ワイヤ２１の全長を確保することができる。これによって、固定具２０を用いてこの電動ドリル５０を設置する際の形態の自由度が高まる。
【００３７】
上記の２つの実施の形態で示されたように、上記の作業機器用固定具は、様々な作業機器に対して適用することができる。この際、作業機器の使用の際の障害とならず、この作業機器用固定具を用いて容易に作業機器を設置することができ、この設置の際の形態の自由度も高くなる。また、収納孔あるいはワイヤは、作業機器の機能に悪影響を与えることなしに作業機器の様々な箇所に設けることができる。
【００３８】
また、上記の例では、電源（バッテリ、商用交流電源）が用いられた作業機器について説明したが、電源が用いられず、例えば高圧空気で動作する作業機器（インパクトレンチ等）においても、上記の作業機器用固定具が有効であることは明らかである。この場合においても、本体における高圧空気配管等と干渉しない収納孔を設け、上記の作業機器用固定具を同様に装着することができる。
【００３９】
なお、上記の例では、収納孔にワイヤを収納した際に、収納孔の間口に係止具が嵌合して固定される構成としたが、係止具が収納孔の開口に固定されない場合でも作業の障害とならない場合においては、こうした構成は不要である。
【００４０】
また、上記の例においては、収納孔内にワイヤが装着され、この収納孔にワイヤが収納できる構成とされた。しかしながら、ワイヤ及び係止具（フック等）が常時露出していても作業の際に障害にならない場合には、収納孔は不要である。この場合には、作業機器の表面に前記のワイヤの他端を装着することができる。
【符号の説明】
【００４１】
１０  トーチライト
１１  グリップ
１２、４３  バッテリ装着部（本体）
１３  回動軸（第１の回動軸）
１４  照明部
１５、４６、４７、５５、５６  収納孔
２０  作業機器用固定具（固定具）
２１  ワイヤ
２２  フック（係止具）
２３  ワイヤ末端部（抜け止め部材）
４０、５０  電動ドリル
４１、５１  電動ドリル本体（本体）
４２、５２  ハンドル
４４、５４  チャック
４５  トリガスイッチ
５３  電源コード
１００  バッテリ
１２２  リング（係止具）
１４１   主照明部
１４２  フラッシュ部
１５１  収納孔内壁
２００  ピン
３００  塀
３１０  塀側係止部
【図１】
2015096282.tif 000003
【図２】
2015096282.tif 000004
【図３】
2015096282.tif 000005
【図４】
2015096282.tif 000006
【図５】
2015096282.tif 000007
【図６】
2015096282.tif 000008
【図７】
2015096282.tif 000009
【図８】
2015096282.tif 000010